(57)【要約】【課題】生体情報の登録作業者や被登録者の手間をかけず、容易に生体情報の登録を行える技術を提供する。【解決手段】生体情報登録端末１０は、ＩＤ照合要求を管理サーバ１３に送信し、管理サーバ１３から照合結果を受信し、生体情報の入力を促す画面を表示し、生体情報登録有無の確認要求を管理サーバ１３に送信し、管理サーバ１３から生体情報未登録通知を受信し、生体情報の入力を促す画面を表示し、生体情報登録要求を管理サーバ１３に送信し、管理サーバ１３から生体情報登録完了通知を受信し、管理サーバ１３は、生体情報登録端末１０から前記ＩＤ照合要求を受信し、ＩＤを照合しその結果を生体情報登録端末１０に送信し、生体情報登録端末１０から前記生体情報登録有無の確認要求を受信し、前記生体情報の登録有無を確認し、前記生体情報未登録通知を生体情報登録端末１０に送信し、生体情報登録端末１０から前記生体情報登録要求を受信し、前記生体情報を前記ＩＤと対応付けて登録し、前記生体情報登録完了通知を生体情報登録端末１０に送信する。【選択図】図７
2010160709.tif 000002
【特許請求の範囲】
【請求項１】
生体情報登録端末および管理サーバが、ネットワークを介して接続されて構成される生体情報登録システムにおける生体情報登録方法であって、
前記生体情報登録端末は、
ユーザＩＤを取得する処理と、
該ユーザＩＤを含むユーザＩＤ照合要求を前記ネットワークを介して前記管理サーバに送信する処理と、
前記管理サーバからユーザＩＤの照合結果（照合成功）を前記ネットワークを介して受信する処理と、
生体情報の入力を促す画面を表示装置に表示する処理と、
前記生体情報を取得し、該生体情報を含む生体情報登録有無の確認要求を前記ネットワークを介して前記管理サーバに送信する処理と、
前記管理サーバから前記生体情報が未登録であることを示す情報を前記ネットワークを介して受信する処理と、
再度、前記生体情報の入力を促す画面を前記表示装置に表示する処理と、
該生体情報を取得し、該生体情報を含む生体情報登録要求を前記ネットワークを介して前記管理サーバに送信する処理と、
前記管理サーバから前記生体情報の登録が完了したことを示す情報を前記ネットワークを介して受信し、該情報を前記表示装置に表示する処理とを実施し、
前記管理サーバは、
前記生体情報登録端末から前記ユーザＩＤ照合要求を前記ネットワークを介して受信する処理と、
該ユーザＩＤ照合要求に含まれる前記ユーザＩＤと記憶装置にあらかじめ記憶されているユーザＩＤとを照合する処理と、
前記ユーザＩＤの照合結果（照合成功）を前記ネットワークを介して前記生体情報登録端末に送信する処理と、
前記生体情報登録端末から前記生体情報登録有無の確認要求を前記ネットワークを介して受信する処理と、
該確認要求に含まれる前記生体情報が前記記憶装置に登録されているか否かを確認する処理と、
該確認の結果、前記生体情報が未登録の場合、前記生体情報が未登録であることを示す情報を前記ネットワークを介して前記生体情報登録端末に送信する処理と、
前記生体情報登録端末から前記生体情報登録要求を前記ネットワークを介して受信する処理と、
該生体情報登録要求に含まれる生体情報を前記ユーザＩＤと対応付けて前記記憶装置に登録する処理と、
生体情報の登録が完了したことを示す情報を前記ネットワークを介して前記生体情報登録端末に送信する処理とを実施する、
ことを特徴とする生体情報登録方法。
【請求項２】
生体情報登録端末、管理サーバおよび管理者端末が、ネットワークを介して接続されて構成される生体情報登録システムにおける生体情報登録方法であって、
前記生体情報登録端末は、
ユーザＩＤを取得する処理と、
該ユーザＩＤを含むユーザＩＤ照合要求を前記ネットワークを介して前記管理サーバに送信する処理と、
前記管理サーバからユーザＩＤの照合結果（照合成功）を前記ネットワークを介して受信する処理と、
生体情報の入力を促す画面を表示装置に表示する処理と、
前記生体情報を取得し、該生体情報を含む生体情報登録有無の確認要求を前記ネットワークを介して前記管理サーバに送信する処理と、
前記管理サーバから前記生体情報が未登録であることを示す情報を前記ネットワークを介して受信する処理と、
再度、前記生体情報の入力を促す画面を前記表示装置に表示する処理と、
該生体情報を取得し、該生体情報を含む生体情報登録要求を前記ネットワークを介して前記管理サーバに送信する処理と、
前記管理サーバから前記生体情報の仮登録が完了したことを示す情報を前記ネットワークを介して受信し、前記表示装置に表示する処理と、
前記管理サーバから前記生体情報の登録が完了したことを示す情報を前記ネットワークを介して受信し、該情報を前記表示装置に表示する処理とを実施し、
前記管理サーバは、
前記生体情報登録端末から前記ユーザＩＤ照合要求を前記ネットワークを介して受信する処理と、
該ユーザＩＤ照合要求に含まれる前記ユーザＩＤと記憶装置にあらかじめ記憶されているユーザＩＤとを照合する処理と、
前記ユーザＩＤの照合結果（照合成功）を前記ネットワークを介して前記生体情報登録端末に送信する処理と、
前記生体情報登録端末から前記生体情報登録有無の確認要求を前記ネットワークを介して受信する処理と、
該確認要求に含まれる前記生体情報が前記記憶装置に登録されているか否かを確認する処理と、
該確認の結果、前記生体情報が未登録の場合、前記生体情報が未登録であることを示す情報を前記ネットワークを介して前記生体情報登録端末に送信する処理と、
前記生体情報登録端末から前記生体情報登録要求を前記ネットワークを介して受信する処理と、
該生体情報登録要求に含まれる生体情報及び仮登録フラグを前記ユーザＩＤと対応付けて前記記憶装置に登録する処理と、
前記生体情報の仮登録が完了したことを示す情報を前記ネットワークを介して前記生体情報登録端末に送信する処理と、
前記ネットワークを介して前記管理者端末に承認依頼を行う処理と、
前記管理者端末から承認済みであることを示す情報を前記ネットワークを介して受信する処理と、
前記仮登録フラグを登録フラグに書き換え、生体情報の登録が完了したことを示す情報を前記ネットワークを介して前記生体情報登録端末に送信する処理とを実施し、
前記管理者端末は、
前記管理サーバから前記承認依頼を前記ネットワークを介して受信する処理と、
前記承認済みであることを示す情報を前記ネットワークを介して前記管理サーバに送信する処理とを実施する、
ことを特徴とする生体情報登録方法。
【請求項３】
生体情報登録端末、管理サーバおよび携帯電話端末が、ネットワークを介して接続可能に構成された生体情報登録システムにおける生体情報登録方法であって、
前記生体情報登録端末は、
ユーザＩＤを取得する処理と、
該ユーザＩＤを含むユーザＩＤ照合要求を前記ネットワークを介して前記管理サーバに送信する処理と、
前記管理サーバからユーザＩＤの照合結果（照合成功）を前記ネットワークを介して受信する処理と、
生体情報の入力を促す画面を表示装置に表示する処理と、
前記生体情報を取得し、該生体情報を含む生体情報登録有無の確認要求を前記ネットワークを介して前記管理サーバに送信する処理と、
前記管理サーバから前記生体情報が未登録であることを示す情報を前記ネットワークを介して受信する処理と、
前記管理サーバから前記生体情報の登録が完了したことを示す情報を前記ネットワークを介して受信し、該情報を前記表示装置に表示する処理とを実施し、
前記管理サーバは、
前記生体情報登録端末から前記ユーザＩＤ照合要求を前記ネットワークを介して受信する処理と、
該ユーザＩＤ照合要求に含まれる前記ユーザＩＤと記憶装置にあらかじめ記憶されているユーザＩＤとを照合する処理と、
前記ユーザＩＤの照合結果（照合成功）を前記ネットワークを介して前記生体情報登録端末に送信する処理と、
前記生体情報登録端末から前記生体情報登録有無の確認要求を前記ネットワークを介して受信する処理と、
該確認要求に含まれる前記生体情報が前記記憶装置に登録されているか否かを確認する処理と、
該確認の結果、前記生体情報が未登録の場合、前記生体情報が未登録であることを示す情報を前記ネットワークを介して前記生体情報登録端末に送信する処理と、
前記ネットワークを介して前記携帯電話端末に前記生体情報の取得依頼を行う処理と、
前記生体情報を含む生体情報登録要求を前記ネットワークを介して受信する処理と、
該生体情報登録要求に含まれる生体情報を前記ユーザＩＤと対応付けて前記記憶装置に登録する処理と、
生体情報の登録が完了したことを示す情報を前記ネットワークを介して前記生体情報登録端末に送信する処理とを実施し、
前記携帯電話端末は、
前記管理サーバから前記生体情報の取得依頼を前記ネットワークを介して受信する処理と、
前記生体情報を取得し、該生体情報を含む前記生体情報登録要求を前記ネットワークを介して前記管理サーバに送信する処理とを実施する、
ことを特徴とする生体情報登録方法。
【請求項４】
生体情報登録端末、管理サーバ、携帯電話端末および管理者端末が、ネットワークを介して接続可能に構成された生体情報登録システムにおける生体情報登録方法であって、
前記生体情報登録端末は、
ユーザＩＤを取得する処理と、
該ユーザＩＤを含むユーザＩＤ照合要求を前記ネットワークを介して前記管理サーバに送信する処理と、
前記管理サーバからユーザＩＤの照合結果（照合成功）を前記ネットワークを介して受信する処理と、
生体情報の入力を促す画面を表示装置に表示する処理と、
前記生体情報を取得し、該生体情報を含む生体情報登録有無の確認要求を前記ネットワークを介して前記管理サーバに送信する処理と、
前記管理サーバから前記生体情報が未登録であることを示す情報を前記ネットワークを介して受信する処理と、
前記管理サーバから前記生体情報の登録が完了したことを示す情報を前記ネットワークを介して受信し、該情報を前記表示装置に表示する処理とを実施し、
前記管理サーバは、
前記生体情報登録端末から前記ユーザＩＤ照合要求を前記ネットワークを介して受信する処理と、
該ユーザＩＤ照合要求に含まれる前記ユーザＩＤと記憶装置にあらかじめ記憶されているユーザＩＤとを照合する処理と、
前記ユーザＩＤの照合結果（照合成功）を前記ネットワークを介して前記生体情報登録端末に送信する処理と、
前記生体情報登録端末から前記生体情報登録有無の確認要求を前記ネットワークを介して受信する処理と、
該確認要求に含まれる前記生体情報が前記記憶装置に登録されているか否かを確認する処理と、
該確認の結果、前記生体情報が未登録の場合、前記生体情報が未登録であることを示す情報を前記ネットワークを介して前記生体情報登録端末に送信する処理と、
前記ネットワークを介して前記携帯電話端末に前記生体情報の取得依頼を行う処理と、
前記生体情報を含む生体情報登録要求を前記ネットワークを介して受信する処理と、
該生体情報登録要求に含まれる生体情報及び仮登録フラグを前記ユーザＩＤと対応付けて前記記憶装置に登録する処理と、
前記生体情報の仮登録が完了したことを示す情報を前記ネットワークを介して前記生体情報登録端末に送信する処理と、
前記ネットワークを介して前記管理者端末に承認依頼を行う処理と、
前記管理者端末から承認済みであることを示す情報を前記ネットワークを介して受信する処理と、
前記仮登録フラグを登録フラグに書き換え、生体情報の登録が完了したことを示す情報を前記ネットワークを介して前記生体情報登録端末に送信する処理とを実施し、
前記携帯電話端末は、
前記管理サーバから前記生体情報の取得依頼を前記ネットワークを介して受信する処理と、
前記生体情報を取得し、該生体情報を含む前記生体情報登録要求を前記ネットワークを介して前記管理サーバに送信する処理とを実施し、
前記管理者端末は、
前記管理サーバから前記承認依頼を前記ネットワークを介して受信する処理と、
前記承認済みであることを示す情報を前記ネットワークを介して前記管理サーバに送信する処理とを実施する、
ことを特徴とする生体情報登録方法。
【請求項５】
生体情報登録端末および管理サーバが、ネットワークを介して接続されて構成される生体情報登録システムであって、
前記生体情報登録端末は、
ユーザＩＤを取得する手段と、
該ユーザＩＤを含むユーザＩＤ照合要求を前記ネットワークを介して前記管理サーバに送信する手段と、
前記管理サーバからユーザＩＤの照合結果（照合成功）を前記ネットワークを介して受信する手段と、
生体情報の入力を促す画面を表示装置に表示する手段と、
前記生体情報を取得し、該生体情報を含む生体情報登録有無の確認要求を前記ネットワークを介して前記管理サーバに送信する手段と、
前記管理サーバから前記生体情報が未登録であることを示す情報を前記ネットワークを介して受信する手段と、
再度、前記生体情報の入力を促す画面を前記表示装置に表示する手段と、
該生体情報を取得し、該生体情報を含む生体情報登録要求を前記ネットワークを介して前記管理サーバに送信する手段と、
前記管理サーバから前記生体情報の登録が完了したことを示す情報を前記ネットワークを介して受信し、該情報を前記表示装置に表示する手段とを有し、
前記管理サーバは、
前記生体情報登録端末から前記ユーザＩＤ照合要求を前記ネットワークを介して受信する手段と、
該ユーザＩＤ照合要求に含まれる前記ユーザＩＤと記憶装置にあらかじめ記憶されているユーザＩＤとを照合する手段と、
前記ユーザＩＤの照合結果（照合成功）を前記ネットワークを介して前記生体情報登録端末に送信する手段と、
前記生体情報登録端末から前記生体情報登録有無の確認要求を前記ネットワークを介して受信する手段と、
該確認要求に含まれる前記生体情報が前記記憶装置に登録されているか否かを確認する手段と、
該確認の結果、前記生体情報が未登録の場合、前記生体情報が未登録であることを示す情報を前記ネットワークを介して前記生体情報登録端末に送信する手段と、
前記生体情報登録端末から前記生体情報登録要求を前記ネットワークを介して受信する手段と、
該生体情報登録要求に含まれる生体情報を前記ユーザＩＤと対応付けて前記記憶装置に登録する手段と、
生体情報の登録が完了したことを示す情報を前記ネットワークを介して前記生体情報登録端末に送信する手段とを有する、
ことを特徴とする生体情報登録システム。
【請求項６】
生体情報登録端末、管理サーバおよび管理者端末が、ネットワークを介して接続されて構成される生体情報登録システムであって、
前記生体情報登録端末は、
ユーザＩＤを取得する手段と、
該ユーザＩＤを含むユーザＩＤ照合要求を前記ネットワークを介して前記管理サーバに送信する手段と、
前記管理サーバからユーザＩＤの照合結果（照合成功）を前記ネットワークを介して受信する手段と、
生体情報の入力を促す画面を表示装置に表示する手段と、
前記生体情報を取得し、該生体情報を含む生体情報登録有無の確認要求を前記ネットワークを介して前記管理サーバに送信する手段と、
前記管理サーバから前記生体情報が未登録であることを示す情報を前記ネットワークを介して受信する手段と、
再度、前記生体情報の入力を促す画面を前記表示装置に表示する手段と、
該生体情報を取得し、該生体情報を含む生体情報登録要求を前記ネットワークを介して前記管理サーバに送信する手段と、
前記管理サーバから前記生体情報の仮登録が完了したことを示す情報を前記ネットワークを介して受信し、前記表示装置に表示する手段と、
前記管理サーバから前記生体情報の登録が完了したことを示す情報を前記ネットワークを介して受信し、該情報を前記表示装置に表示する手段とを有し、
前記管理サーバは、
前記生体情報登録端末から前記ユーザＩＤ照合要求を前記ネットワークを介して受信する手段と、
該ユーザＩＤ照合要求に含まれる前記ユーザＩＤと記憶装置にあらかじめ記憶されているユーザＩＤとを照合する手段と、
前記ユーザＩＤの照合結果（照合成功）を前記ネットワークを介して前記生体情報登録端末に送信する手段と、
前記生体情報登録端末から前記生体情報登録有無の確認要求を前記ネットワークを介して受信する手段と、
該確認要求に含まれる前記生体情報が前記記憶装置に登録されているか否かを確認する手段と、
該確認の結果、前記生体情報が未登録の場合、前記生体情報が未登録であることを示す情報を前記ネットワークを介して前記生体情報登録端末に送信する手段と、
前記生体情報登録端末から前記生体情報登録要求を前記ネットワークを介して受信する手段と、
該生体情報登録要求に含まれる生体情報及び仮登録フラグを前記ユーザＩＤと対応付けて前記記憶装置に登録する手段と、
前記生体情報の仮登録が完了したことを示す情報を前記ネットワークを介して前記生体情報登録端末に送信する手段と、
前記ネットワークを介して前記管理者端末に承認依頼を行う手段と、
前記管理者端末から承認済みであることを示す情報を前記ネットワークを介して受信する手段と、
前記仮登録フラグを登録フラグに書き換え、生体情報の登録が完了したことを示す情報を前記ネットワークを介して前記生体情報登録端末に送信する手段とを有し、
前記管理者端末は、
前記管理サーバから前記承認依頼を前記ネットワークを介して受信する手段と、
前記承認済みであることを示す情報を前記ネットワークを介して前記管理サーバに送信する手段とを有する、
ことを特徴とする生体情報登録システム。
【請求項７】
生体情報登録端末、管理サーバおよび携帯電話端末が、ネットワークを介して接続可能に構成された生体情報登録システムであって、
前記生体情報登録端末は、
ユーザＩＤを取得する手段と、
該ユーザＩＤを含むユーザＩＤ照合要求を前記ネットワークを介して前記管理サーバに送信する手段と、
前記管理サーバからユーザＩＤの照合結果（照合成功）を前記ネットワークを介して受信する手段と、
生体情報の入力を促す画面を表示装置に表示する手段と、
前記生体情報を取得し、該生体情報を含む生体情報登録有無の確認要求を前記ネットワークを介して前記管理サーバに送信する手段と、
前記管理サーバから前記生体情報が未登録であることを示す情報を前記ネットワークを介して受信する手段と、
前記管理サーバから前記生体情報の登録が完了したことを示す情報を前記ネットワークを介して受信し、該情報を前記表示装置に表示する手段とを有し、
前記管理サーバは、
前記生体情報登録端末から前記ユーザＩＤ照合要求を前記ネットワークを介して受信する手段と、
該ユーザＩＤ照合要求に含まれる前記ユーザＩＤと記憶装置にあらかじめ記憶されているユーザＩＤとを照合する手段と、
前記ユーザＩＤの照合結果（照合成功）を前記ネットワークを介して前記生体情報登録端末に送信する手段と、
前記生体情報登録端末から前記生体情報登録有無の確認要求を前記ネットワークを介して受信する手段と、
該確認要求に含まれる前記生体情報が前記記憶装置に登録されているか否かを確認する手段と、
該確認の結果、前記生体情報が未登録の場合、前記生体情報が未登録であることを示す情報を前記ネットワークを介して前記生体情報登録端末に送信する手段と、
前記ネットワークを介して前記携帯電話端末に前記生体情報の取得依頼を行う手段と、
前記生体情報を含む生体情報登録要求を前記ネットワークを介して受信する手段と、
該生体情報登録要求に含まれる生体情報を前記ユーザＩＤと対応付けて前記記憶装置に登録する手段と、
生体情報の登録が完了したことを示す情報を前記ネットワークを介して前記生体情報登録端末に送信する手段とを有し、
前記携帯電話端末は、
前記管理サーバから前記生体情報の取得依頼を前記ネットワークを介して受信する手段と、
前記生体情報を取得し、該生体情報を含む前記生体情報登録要求を前記ネットワークを介して前記管理サーバに送信する手段とを有する、
ことを特徴とする生体情報登録システム。
【請求項８】
生体情報登録端末、管理サーバ、携帯電話端末および管理者端末が、ネットワークを介して接続可能に構成された生体情報登録システムであって、
前記生体情報登録端末は、
ユーザＩＤを取得する手段と、
該ユーザＩＤを含むユーザＩＤ照合要求を前記ネットワークを介して前記管理サーバに送信する手段と、
前記管理サーバからユーザＩＤの照合結果（照合成功）を前記ネットワークを介して受信する手段と、
生体情報の入力を促す画面を表示装置に表示する手段と、
前記生体情報を取得し、該生体情報を含む生体情報登録有無の確認要求を前記ネットワークを介して前記管理サーバに送信する手段と、
前記管理サーバから前記生体情報が未登録であることを示す情報を前記ネットワークを介して受信する手段と、
前記管理サーバから前記生体情報の登録が完了したことを示す情報を前記ネットワークを介して受信し、該情報を前記表示装置に表示する手段とを有し、
前記管理サーバは、
前記生体情報登録端末から前記ユーザＩＤ照合要求を前記ネットワークを介して受信する手段と、
該ユーザＩＤ照合要求に含まれる前記ユーザＩＤと記憶装置にあらかじめ記憶されているユーザＩＤとを照合する手段と、
前記ユーザＩＤの照合結果（照合成功）を前記ネットワークを介して前記生体情報登録端末に送信する手段と、
前記生体情報登録端末から前記生体情報登録有無の確認要求を前記ネットワークを介して受信する手段と、
該確認要求に含まれる前記生体情報が前記記憶装置に登録されているか否かを確認する手段と、
該確認の結果、前記生体情報が未登録の場合、前記生体情報が未登録であることを示す情報を前記ネットワークを介して前記生体情報登録端末に送信する手段と、
前記ネットワークを介して前記携帯電話端末に前記生体情報の取得依頼を行う手段と、
前記生体情報を含む生体情報登録要求を前記ネットワークを介して受信する手段と、
該生体情報登録要求に含まれる生体情報及び仮登録フラグを前記ユーザＩＤと対応付けて前記記憶装置に登録する手段と、
前記生体情報の仮登録が完了したことを示す情報を前記ネットワークを介して前記生体情報登録端末に送信する手段と、
前記ネットワークを介して前記管理者端末に承認依頼を行う手段と、
前記管理者端末から承認済みであることを示す情報を前記ネットワークを介して受信する手段と、
前記仮登録フラグを登録フラグに書き換え、生体情報の登録が完了したことを示す情報を前記ネットワークを介して前記生体情報登録端末に送信する手段とを有し、
前記携帯電話端末は、
前記管理サーバから前記生体情報の取得依頼を前記ネットワークを介して受信する手段と、
前記生体情報を取得し、該生体情報を含む前記生体情報登録要求を前記ネットワークを介して前記管理サーバに送信する手段とを有し、
前記管理者端末は、
前記管理サーバから前記承認依頼を前記ネットワークを介して受信する手段と、
前記承認済みであることを示す情報を前記ネットワークを介して前記管理サーバに送信する手段とを有する、
ことを特徴とする生体情報登録システム。
【発明の詳細な説明】
【技術分野】
【０００１】
本発明は、生体情報を登録する方法およびこれを実施する生体情報登録システムに関する。
【背景技術】
【０００２】
建物におけるユーザの入退出確認や生体情報登録システムを利用するユーザを特定するため、ユーザの指紋パターン、静脈パターン、目の彩光パターン、顔などのいわゆる生体情報を照合することにより、本人確認を行う生体認証技術が知られている。
【０００３】
生体認証を行うためには、最初に生体情報を所定の方法によって予めサーバ等に登録する必要がある。従来、生体情報を登録するユーザ（被登録者）は、登録作業を行う登録作業者（管理者）が居る場所へ行き、登録作業者は被登録者の身分を確認した上で生体情報の登録作業を行っていた。
【０００４】
また、登録作業者を、被被登録者の居る場所へ派遣させ、登録作業者と被登録者の身分を確認した上で生体情報の登録作業を行う方法も提案されている（例えば、特許文献１参照）。
【０００５】
【特許文献１】特開２００３−３３０８９５号公報
【発明の開示】
【発明が解決しようとする課題】
【０００６】
生体情報を登録する被登録者が登録作業を実施する場所へ行き登録作業を行うとき、例えば、生体情報登録システムの利用範囲が、国土全体や世界規模等の広域な範囲に及び、さらに生体情報登録システムを利用するユーザの数が数千、数万オーダーの大量である場合、登録者が登録作業場所へ行くことにより移動コスト、作業量のコストが膨大になり登録作業自体が非効率的であり面倒である。
【０００７】
また、特許文献１に記載の技術であっても、同様に、大勢の作業登録者を非登録者が居る場所へ派遣し登録作業を行う必要があるが、派遣する場所が国土全体、世界規模等の広域に及ぶ場合、登録作業にかかわる移動コストや作業コストが膨大なものとなる。
【０００８】
本発明は、上記課題に鑑みてなされたものであり、生体情報の登録作業者や被登録者の手間をかけず、容易に生体情報の登録を行える技術を提供することを目的とする。
【課題を解決するための手段】
【０００９】
上記課題を解決するための一手段を以下に記載する。本発明を適用する生体情報登録システムは、生体情報登録端末および管理サーバが、ネットワークを介して接続されて構成される。生体情報登録端末には、ＩＤカードからユーザＩＤを読み取るＩＤ読取装置と、ユーザの生体情報を読み取る生体情報読取装置が接続されている。前記ＩＤ読取装置および前記生体情報読取装置は、生体情報登録端末の内部に設けてもよい。
【００１０】
前記生体情報登録端末は、ユーザＩＤを取得する処理と、該ユーザＩＤを含むユーザＩＤ照合要求を前記ネットワークを介して前記管理サーバに送信する処理と、前記管理サーバからユーザＩＤの照合結果（照合成功）を前記ネットワークを介して受信する処理と、生体情報の入力を促す画面を表示装置に表示する処理と、前記生体情報を取得し、該生体情報を含む生体情報登録有無の確認要求を前記ネットワークを介して前記管理サーバに送信する処理と、前記管理サーバから前記生体情報が未登録であることを示す情報を前記ネットワークを介して受信する処理と、再度、前記生体情報の入力を促す画面を前記表示装置に表示する処理と、該生体情報を取得し、該生体情報を含む生体情報登録要求を前記ネットワークを介して前記管理サーバに送信する処理と、前記管理サーバから前記生体情報の登録が完了したことを示す情報を前記ネットワークを介して受信し、該情報を前記表装置に表示する処理とを実施することを特徴とする。
【００１１】
前記管理サーバは、前記生体情報登録端末から前記ユーザＩＤ照合要求を前記ネットワークを介して受信する処理と、該ユーザＩＤ照合要求に含まれる前記ユーザＩＤと記憶装置にあらかじめ記憶されているユーザＩＤとを照合する処理と、前記ユーザＩＤの照合結果（照合成功）を前記ネットワークを介して前記生体情報登録端末に送信する処理と、前記生体情報登録端末から前記生体情報登録有無の確認要求を前記ネットワークを介して受信する処理と、該確認要求に含まれる前記生体情報が前記記憶装置に登録されているか否かを確認する処理と、該確認の結果、前記生体情報が未登録の場合、前記生体情報が未登録であることを示す情報を前記ネットワークを介して前記生体情報登録端末に送信する処理と、前記生体情報登録端末から前記生体情報登録要求を前記ネットワークを介して受信する処理と、該生体情報登録要求に含まれる生体情報を前記ユーザＩＤと対応付けて前記記憶装置に登録する処理と、生体情報の登録が完了したことを示す情報を前記ネットワークを介して前記生体情報登録端末に送信する処理とを実施することを特徴とする。
【発明の効果】
【００１２】
本発明によれば、生体情報の登録作業者や被登録者の手間をかけず、容易に生体情報の登録を行える技術を提供することができる。
【発明を実施するための最良の形態】
【００１３】
以下、本発明の実施形態について、図面を参照して詳細に説明する。
（第一実施形態）
図１は、第一実施形態による、生体情報登録システム１全体の構成を示す図である。生体情報登録システム１は、生体情報登録端末１０と、管理サーバ１３と、入退出制御装置１４と、管理者端末１５と、がネットワーク１６に接続されて構成されるシステムである。生体情報登録端末１０には、情報記録媒体（例えば、社員証等のＩＤカード）からユーザＩＤ（ユーザ識別情報）を読み取るＩＤ読取装置１１およびユーザの生体情報を読み取る生体情報読取装置１２が接続されている。生体情報登録端末１０は、各拠点に設置された複数のユーザ共用の端末であっても、ユーザ端末であってもよい。また、ＩＤ読取装置１１１と生体情報読取装置１１２は、生体情報登録端末１０の内部に設けてもよい。
【００１４】
図２は、一般的な計算機２２０のハードウェア構成を示すブロック図である。図１に示す生体情報登録端末１０、管理サーバ１３および管理者端末１５は、計算機２２０と同様のハードウェア構成である。計算機２２０は、ＣＰＵ２００、入力インタフェース（以下、「インタフェース」は「Ｉ／Ｆ」と記す）、出力Ｉ/Ｆ２０２、主メモリ（以下、「ＲＡＭ」と記す）２０３、通信Ｉ/Ｆ２０４、ハードディスク装置（以下、「ＨＤＤ」と記す）２０５がＢＵＳ等の通信線により接続される。
【００１５】
生体情報登録端末１０の入力Ｉ／Ｆ２０１には、ＩＤ読取装置１１１、生体情報読取装置１１２の他、キーボード２１０やマウス２１１、タッチパッド２１２等の入力装置が接続される。生体情報登録端末１０の出力Ｉ／Ｆ２０２には、ディスプレイ等の表示装置２１３が接続される。また、管理者端末１５の入力Ｉ／Ｆ２０１には、キーボード２１０やマウス２１１、タッチパッド２１２等の入力装置が接続される。管理者端末１５の出力Ｉ／Ｆ２０２には、ディスプレイ等の表示装置２１３が接続される。
【００１６】
ＣＰＵ２００は、ＨＤＤ２０５に格納されるプログラム２３０をＲＡＭ２０３に読み込み、種々の処理を実行する。本実施例で説明するプログラム２３０やデータ２３１はあらかじめＨＤＤ２０５に格納しておいてもよいし、ＣＤ−ＲＯＭ等の記憶媒体から入力してもよいし、ネットワーク１６を介して他の装置からダウンロードしてもよい。また、当該プログラムにより実現される機能を、専用ハードゥエアにより実現してもよい。以下、プログラム２３０が、行為主体であるかのように記載する場合があるが、実際にはＣＰＵ２００が当該プログラム２３０を実行して処理を行う主体であることは言うまでもない。
【００１７】
また、図示していないが、ＩＤ読取装置１１と生体情報読取装置１２は、それぞれユーザＩＤと生体情報を読み取り、生体情報登録端末１０に出力するプログラムを記憶する記憶装置やこのプログラムを実行するＣＰＵ、生体情報登録端末１０との接続インタフェース等を具備する。入退出制御装置１４もユーザの生体情報を読み取り、入退出の制御を行うプログラムを記憶する記憶装置やこのプログラムを実行するＣＰＵ、ネットワーク１６との接続インタフェース等を具備する。
【００１８】
図３は、第一実施形態による、生体情報登録端末１０のＨＤＤ２０５に格納されているプログラムの機能を示す図である。生体情報登録端末１０のＨＤＤ２０５には、ＩＤ、生体情報送信部３１１および基本制御部３１２からなるプログラム２３０が格納される。ＩＤ、生体情報送信部３１１は、ＩＤ読取装置１１または生体情報読取装置１２から、それぞれユーザＩＤまたは生体情報を取得し、これをネットワーク１６を介して管理サーバ１３に送信する機能を持つ。基本制御部３１２は、いわゆるオペレーティングシステム（以下、「ＯＳ」と記す）やドライバソフトウェアである。ＯＳは、生体情報登録端末１０のハードゥエアの制御、ＲＡＭ２０３の管理、プログラム２３０の実行制御や管理、他の計算機と通信を行う際のメッセージ交換等の動作制御等を行う。ドライバソフトウェアは、生体情報登録端末１０に接続するハードウェアの動作制御等を行う。また、各計算機間で送受信されるメッセージは加工することなく送受信してもよいし、暗号化処理を実行する等してメッセージを加工して送受信してもよい。
【００１９】
図４は、第一実施形態による、管理サーバ１３のＨＤＤ２０５に格納されているプログラムの機能およびデータベース（以下、「ＤＢ」と記す）を示す図である。管理サーバ１３のＨＤＤ２０５には、生体情報登録制御部４１１、基本制御部４１２および登録状況集計部４１３からなるプログラム２３０と、ユーザ関連情報ＤＢ４１４が格納される。生体情報登録制御部４１１は、生体情報登録端末１０からネットワーク１６を介して送信される、生体情報の登録を制御する機能を持つ。基本制御部４１２は、ＯＳやドライバソフトウェアである。登録状況集計部４１３は、各ユーザの生体情報の登録状況を集計し、表示装置２１３に表示する機能を持つ。この機能により、管理者は、各ユーザの生体情報の登録状況を管理することができる。ユーザ関連情報ＤＢ４１４は、ユーザＩＤ、氏名、生体情報、生体情報登録状況等のユーザ関連情報を記憶するＤＢである。
【００２０】
図５は、第一実施形態による、ユーザ関連情報ＤＢ４１４のデータ構成の一例を示す図である。ユーザ関連情報ＤＢ４１４は、ユーザＩＤ５０１と、氏名５０２と、生体情報５０３と、生体情報の登録状況５０４と、生体情報登録・更新時刻５０５と、生体情報有効期限５０６と、をそれぞれ対応付けて記憶する。ここで、生体情報５０３は、ユーザの生体情報を記号化して表現した情報であり、ユーザ認証に必要な情報である。生体情報登録状況５０４は、生体情報の登録状況を示す情報であり、未登録または登録の何れかの状態を示す。本実施例では、生体情報の登録状況を示す情報は、未登録フラグまたは登録フラグで管理する。生体情報登録・更新時刻５０５は、生体情報がユーザ関連情報ＤＢ４１４に登録された日時、またはユーザ関連情報ＤＢ４１４に登録済みの生体情報が更新された時刻を示す情報である。生体情報有効期限５０６は、生体情報の有効期限を示す情報である。
【００２１】
図６は、第一実施形態による、入退出制御装置１４の記憶装置に格納されているプログラムの機能を示す図である。入退出制御装置１４の記憶装置には、生体情報読取・認証要求部６１１、電子ロック制御部６１２および基本制御部６１３からなるプログラムが格納される。生体情報読取・認証要求部６１１は、ユーザの生体情報を読み取り、管理サーバ１３に認証要求を送信する機能を持つ。電子ロック制御部６１２は、管理サーバ１３から送信された認証結果に基づき、電子ロックまたは電子ロック解除の制御を行う機能を持つ。基本制御部６１３は、ＯＳやドライバソフトウェアである。
【００２２】
図７は、第一実施形態による、生体情報の登録処理の一例を示すシーケンス図である。なお、ここでは、説明の便宜上、単に計算機を処理の実行主体として各処理を説明する。
【００２３】
先ず、ユーザは、ユーザＩＤが記憶されたＩＤカードをＩＤ読取装置１１にかざすなどして、ＩＤ読取装置１１にユーザＩＤを読み取らせる。生体情報登録端末１０は、ＩＤ読取装置１１により読取られ、出力されたユーザＩＤを取得する（ステップＳ７０１）。生体情報登録端末１０は、このユーザＩＤを含むＩＤ照合要求をネットワーク１６を介して管理サーバ１３に送信する（ステップ７０２）。
【００２４】
管理サーバ１３は、受信したユーザＩＤとユーザ関連情報ＤＢ４１４（図５）に記憶されているユーザＩＤ５０１とを照合する（ステップ７０３）。管理サーバ１３は、照合結果（照合成功）をネットワーク１６を介して生体情報登録端末１０に送信する（ステップ７０４）。なお、上記照合結果が照合不成功を示す場合は、その旨が生体情報登録端末１０にネットワーク１６を介して送信され、ステップ７０５以降の処理は行われない。
【００２５】
上記照合結果が照合成功を示す場合に、生体情報登録端末１０は、生体情報の入力を促す画面を表示装置２１３に表示する（ステップ７０５）。ユーザは、例えば指を生体情報読取装置１２にかざすなどして、生体情報読取装置１２に生体情報（指静脈情報）を読み取らせる。生体情報登録端末１０は、生体情報読取装置１２により読取られ、出力された生体情報を取得する（ステップ７０６）。次に、生体情報登録端末１０は、この生体情報を含む生体情報登録有無の確認要求をネットワーク１６を介して管理サーバ１３に送信する（ステップ７０７）。
【００２６】
管理サーバ１３は、生体情報登録有無の確認要求に含まれる生体情報とユーザ関連情報ＤＢ４１４に記憶されている複数の生体情報５０３とを順次照合し、該当生体情報の登録有無の確認を行う（ステップ７０８）。確認の結果、ユーザ関連情報ＤＢ４１４に生体情報が登録されていなければ、管理サーバ１３は、生体情報が未登録であることを示す情報（照合結果）をネットワーク１６を介して生体情報登録端末１０に送信する（ステップ７０９）。
【００２７】
生体情報登録端末１０は、再度、生体情報の入力を促す画面を表示装置２１３に表示する（ステップ７１０）。生体情報登録端末１０は、生体情報読取装置１２により読取られ、出力された生体情報を取得し、この生体情報を含む生体情報登録要求をネットワーク１６を介して管理サーバ１３に送信する（ステップ７１１）。
【００２８】
管理サーバ１３は、生体情報登録要求に含まれる生体情報をユーザ関連情報ＤＢ４１４の生体情報５０３に登録し、生体情報登録状況５０４に登録フラグを書き込む（ステップ７１２）。また、管理サーバ１３は、生体情報登録・更新時刻５０５に生体情報の登録日時を書き込み、生体情報有効期限５０６に生体情報の登録時刻にあらかじめ定められた一定の時間を加算した時刻を書き込む（ステップ７１３）。最後に、管理サーバ１３は、生体情報の登録が完了したことを示す情報をネットワーク１６を介して生体情報登録端末１０に通知する（ステップ７１４）。この通知情報は、生体情報登録端末１０の表示装置２１３に表示される。
【００２９】
なお、管理サーバ１３は、ステップ７０７において受信した生体情報をＲＡＭ２０３に一時格納しておき、ステップ７１１で生体情報の登録要求を受信すると、一時格納した生体情報と該登録要求に含まれる生体情報とを照合し、照合一致した場合に、生体情報をユーザ関連情報ＤＢ４１４の生体情報５０３に登録するようにしてもよい。また、管理サーバ１３は、ステップ７０７において受信した生体情報をＲＡＭ２０３に一時格納しておき、ステップ７１１で生体情報の登録要求を受信すると、一時格納した生体情報と該登録要求に含まれる生体情報とを照合し、照合一致した場合に、生体情報を含む生体情報の登録許可を生体情報登録端末１０に通知し、生体情報登録端末１０が生体情報をＩＤカードに登録するようにしてもよい。
【００３０】
図８は、第一実施形態による、生体認証を行う処理を示すシーケンス図である。入退出制御装置１４は、ユーザの生体情報を読み取る（ステップ８０１）。次に、入退出制御装置１４は、この生体情報を含む認証要求をネットワーク１６を介して管理サーバ１３に送信する（ステップ８０２）。
【００３１】
管理サーバ１３は、認証要求に含まれる生体情報とユーザ関連情報ＤＢ４１４に記憶されている生体情報５０３とを照合し、当該ユーザの認証を行う（ステップ８０３）。管理サーバ１３は、認証結果（認証成功）をネットワーク１６を介して入退出制御装置１４に送信する（ステップ８０４）。なお、認証不成功であれば、ステップ８０５以降の処理は行われない。
【００３２】
入退出制御装置１４は、ユーザ認証に成功したことを確認後、電子ロックを解除する（ステップ８０５）。これにより、例えばゲートが開閉される。そして、入退出制御装置１４は、再度、電子ロックする（ステップ８０６）。
（第二実施形態）
図９は、第二実施形態による、ユーザ関連情報ＤＢ４１４のデータ構成の一例を示す図である。第二実施形態による、ユーザ関連情報ＤＢ４１４には、図５に示すデータ（ユーザＩＤ５０１、氏名５０２、生体情報５０３、生体情報登録状況５０４、生体情報登録・更新時刻５０５、生体情報有効期限５０６）の他、さらに管理者（あるいは承認者）メールアドレス９０１が格納されている。この管理者メールアドレスは、一ユーザＩＤに対して複数登録しておいてもよい。これにより、管理者が不在の場合でも生体情報の登録が可能となる。また、本第二実施形態では、生体情報登録状況５０４に、登録フラグ、未登録フラグの他、生体情報が仮登録状態であることを示す仮登録フラグが書き込まれる。
【００３３】
図１０は、第二実施形態による、生体情報の登録処理の一例を示すシーケンス図である。ステップ７０１−ステップ７１１までの処理は、図７に示す処理と同様であるので、図７を参照し説明する。
【００３４】
先ず、ユーザは、ユーザＩＤが記憶されたＩＤカードをＩＤ読取装置１１にかざすなどして、ＩＤ読取装置１１にユーザＩＤを読み取らせる。生体情報登録端末１０は、ＩＤ読取装置１１により読み取られ、出力されたユーザＩＤを取得する（ステップＳ７０１）。生体情報登録端末１０は、このユーザＩＤを含むＩＤ照合要求をネットワーク１６を介して管理サーバ１３に送信する（ステップ７０２）。
【００３５】
管理サーバ１３は、受信したユーザＩＤとユーザ関連情報ＤＢ４１４（図５）に記憶されているユーザＩＤ５０１とを照合する（ステップ７０３）。管理サーバ１３は、照合結果（照合成功）をネットワーク１６を介して生体情報登録端末１０に送信する（ステップ７０４）。なお、上記照合結果が照合不成功を示す場合は、その旨が生体情報登録端末１０にネットワーク１６を介して送信され、ステップ７０５以降の処理は行われない。
【００３６】
上記照合結果が照合成功を示す場合に、生体情報登録端末１０は、生体情報の入力を促す画面を表示装置２１３に表示する（ステップ７０５）。ユーザは、例えば指を生体情報読取装置１２にかざすなどして、生体情報読取装置１２に生体情報（指静脈情報）を読み取らせる。生体情報登録端末１０は、生体情報読取装置１２により読取られ、出力された生体情報を取得する（ステップ７０６）。次に、生体情報登録端末１０は、この生体情報を含む生体情報登録有無の確認要求をネットワーク１６を介して管理サーバ１３に送信する（ステップ７０７）。
【００３７】
管理サーバ１３は、生体情報登録有無の確認要求に含まれる生体情報とユーザ関連情報ＤＢ４１４に記憶されている複数の生体情報５０３とを順次照合し、該当生体情報の登録有無の確認を行う（ステップ７０８）。確認の結果、ユーザ関連情報ＤＢ４１４に生体情報が登録されていなければ、管理サーバ１３は、生体情報が未登録であることを示す情報（照合結果）をネットワーク１６を介して生体情報登録端末１０に送信する（ステップ７０９）。
【００３８】
生体情報登録端末１０は、再度、生体情報の入力を促す画面を表示装置２１３に表示する（ステップ７１０）。生体情報登録端末１０は、生体情報読取装置１２により読取られ、出力された生体情報を取得し、この生体情報を含む生体情報登録要求をネットワーク１６を介して管理サーバ１３に送信する（ステップ７１１）。
【００３９】
管理サーバ１３は、生体情報登録要求に含まれる生体情報をユーザ関連情報ＤＢ４１４の生体情報５０３に仮登録する（ステップ１００１）。また、管理サーバ１３は、ユーザ関連情報ＤＢ４１４の生体情報登録フラグ５０４に仮登録フラグを書き込み、生体情報登録・更新時刻５０５に仮登録した日時を書き込み、生体情報有効期限５０６に仮登録した生体情報の有効期限を書き込む（ステップ１００２）。次に、管理サーバ１３は、生体情報を仮登録したことを示す情報をネットワーク１６を介して生体情報登録端末１０に送信する（ステップ１００３）。また、管理サーバ１３は、ユーザ関連情報ＤＢ４１４の該当レコードの管理者メールアドレス９０１に基づき、承認依頼メールをネットワーク１６を介して管理者端末１５に送信する（ステップ１００４）。
【００４０】
管理者により承認が行われると、管理者端末１５は、承認済みであることを示す情報をネットワーク１６を介して管理サーバ１３に送信する（ステップ１００５）。管理サーバは、ユーザ関連情報ＤＢ４１４の生体情報登録フラグ５０４の仮登録フラグを登録フラグに変更し、生体情報登録・更新日時５０５および生体情報有効期限５０６の情報を更新する（ステップ１００６）。最後に、管理サーバ１３は、生体情報の登録が完了したことを示す情報をネットワーク１６を介して生体情報登録端末１０に通知する（ステップ１００７）。この通知情報は、生体情報登録端末１０の表示装置２１３に表示される。
【００４１】
なお、管理サーバ１３は、ステップ７０７において受信した生体情報をＲＡＭ２０３に一時格納しておき、ステップ７１１で生体情報の登録要求を受信すると、一時格納した生体情報と該登録要求に含まれる生体情報とを照合し、照合一致した場合に、生体情報をユーザ関連情報ＤＢ４１４の生体情報５０３に仮登録するようにしてもよい。また、管理サーバ１３は、ステップ７０７において受信した生体情報をＲＡＭ２０３に一時格納しておき、ステップ７１１で生体情報の登録要求を受信すると、一時格納した生体情報と該登録要求に含まれる生体情報とを照合し、照合一致した場合に、ステップ１００１−ステップ１００３の処理を行わずに、ステップ１００４の承認依頼を管理者端末１５に送信し、ステップ１００５の承認済みを示す情報を受信すると、生体情報をユーザ関連情報ＤＢ４１４の生体情報５０３に登録するようにしてもよい。また、管理サーバ１３は、ステップ７０７において受信した生体情報をＲＡＭ２０３に一時格納しておき、ステップ１５０３で生体情報の登録要求を受信すると、一時格納した生体情報と該登録要求に含まれる生体情報とを照合し、照合一致した場合に、ステップ１００１−ステップ１００３の処理を行わずに、ステップ１００４の承認依頼を管理者端末１５に送信し、ステップ１００５の承認済みを示す情報を受信すると、生体情報を含む生体情報の登録許可を生体情報登録端末１０に通知し、生体情報登録端末１０が生体情報をＩＤカードに登録するようにしてもよい。
（第三実施形態）
図１１は、第三実施形態による、生体情報登録システム１全体の構成を示す図である。第三実施形態による、生体情報登録システム１は、図１に示す生体情報登録システムのネットワーク１６に、さらにユーザの携帯電話端末１１００が無線接続可能な構成である。図示していないが、携帯電話端末１１００は、生体情報を読み取るプログラムを格納する記憶装置、このプログラムを実行するＣＰＵ、ネットワーク１６との接続インタフェース等を具備する。
【００４２】
図１２は、第三実施形態による、ユーザ関連情報ＤＢ４１４のデータ構成の一例を示す図である。第三実施形態による、ユーザ関連情報ＤＢ４１４には、図５に示すデータ（ユーザＩＤ５０１、氏名５０２、生体情報５０３、生体情報登録状況５０４、生体情報登録・更新時刻５０５、生体情報有効期限５０６）の他、さらに携帯電話端末１１００のメールアドレス１２０１が格納されている。
【００４３】
図１３は、第三実施形態による、生体情報の登録処理の一例を示すシーケンス図である。ステップ７０１−ステップ７０９、およびステップ７１２−ステップ７１４の処理は、図７に示す処理と同様であるので、図７を参照し説明する。
【００４４】
先ず、ユーザは、ユーザＩＤが記憶されたＩＤカードをＩＤ読取装置１１にかざすなどして、ＩＤ読取装置１１にユーザＩＤを読み取らせる。生体情報登録端末１０は、ＩＤ読取装置１１により読取られ、出力されたユーザＩＤを取得する（ステップＳ７０１）。生体情報登録端末１０は、このユーザＩＤを含むＩＤ照合要求をネットワーク１６を介して管理サーバ１３に送信する（ステップ７０２）。
【００４５】
管理サーバ１３は、受信したユーザＩＤとユーザ関連情報ＤＢ４１４（図５）に記憶されているユーザＩＤ５０１とを照合する（ステップ７０３）。管理サーバ１３は、照合結果（照合成功）をネットワーク１６を介して生体情報登録端末１０に送信する（ステップ７０４）。なお、上記照合結果が照合不成功を示す場合は、その旨が生体情報登録端末１０にネットワーク１６を介して送信され、ステップ７０５以降の処理は行われない。
【００４６】
上記照合結果が照合成功を示す場合に、生体情報登録端末１０は、生体情報の入力を促す画面を表示装置２１３に表示する（ステップ７０５）。ユーザは、例えば指を生体情報読取装置１２にかざすなどして、生体情報読取装置１２に生体情報（指静脈情報）を読み取らせる。生体情報登録端末１０は、生体情報読取装置１２により読取られ、出力された生体情報を取得する（ステップ７０６）。次に、生体情報登録端末１０は、この生体情報を含む生体情報登録有無の確認要求をネットワーク１６を介して管理サーバ１３に送信する（ステップ７０７）。
【００４７】
管理サーバ１３は、生体情報登録有無の確認要求に含まれる生体情報とユーザ関連情報ＤＢ４１４に記憶されている複数の生体情報５０３とを順次照合し、該当生体情報の登録有無の確認を行う（ステップ７０８）。確認の結果、ユーザ関連情報ＤＢ４１４に生体情報が登録されていなければ、管理サーバ１３は、生体情報が未登録であることを示す情報（照合結果）をネットワーク１６を介して生体情報登録端末１０に送信する（ステップ７０９）。また、管理サーバ１３は、ユーザ関連情報ＤＢ４１４の携帯電話端末メールアドレス１２０１に基づき、生体情報の取得依頼をネットワーク１６を介して携帯電話端末１１００に送信する（ステップ１３０１）。
【００４８】
携帯電話端末１１００は、ユーザの生体情報を取得し（ステップ１３０２）、この生体情報を含む生体情報登録要求をネットワーク１６を介して管理サーバ１３に送信する（ステップ１３０３）。
【００４９】
管理サーバ１３は、生体情報登録要求に含まれる生体情報をユーザ関連情報ＤＢ４１４の生体情報５０３に登録し、生体情報登録状況５０４に登録フラグを書き込む（ステップ７１２）。また、管理サーバ１３は、生体情報登録・更新時刻５０５に生体情報の登録日時を書き込み、生体情報有効期限５０６に生体情報の登録時刻にあらかじめ定められた一定の時間を加算した時刻を書き込む（ステップ７１３）。最後に、管理サーバ１３は、生体情報の登録が完了したことを示す情報をネットワーク１６を介して生体情報登録端末１０に通知する（ステップ７１４）。この通知情報は、生体情報登録端末１０の表示装置２１３に表示される。
【００５０】
なお、管理サーバ１３は、ステップ７０７において受信した生体情報をＲＡＭ２０３に一時格納しておき、ステップ１３０３で生体情報の登録要求を受信すると、一時格納した生体情報と該登録要求に含まれる生体情報とを照合し、照合一致した場合に、生体情報をユーザ関連情報ＤＢ４１４の生体情報５０３に登録するようにしてもよい。この場合、生体情報登録端末１０からの生体情報と携帯電話端末からの生体情報とが一致した場合に、生体情報を登録するため、なりすましによる不正登録を防止できる。また、管理サーバ１３は、ステップ７０７において受信した生体情報をＲＡＭ２０３に一時格納しておき、ステップ１３０３で生体情報の登録要求を受信すると、一時格納した生体情報と該登録要求に含まれる生体情報とを照合し、照合一致した場合に、生体情報を含む生体情報の登録許可を生体情報登録端末１０に通知し、生体情報登録端末１０が生体情報をＩＤカードに登録するようにしてもよい。
（第四実施形態）
図１４は、第四実施形態による、ユーザ関連情報ＤＢ４１４のデータ構成の一例を示す図である。第四実施形態による、ユーザ関連情報ＤＢ４１４には、図５に示すデータ（ユーザＩＤ５０１、氏名５０２、生体情報５０３、生体情報登録状況５０４、生体情報登録・更新時刻５０５、生体情報有効期限５０６）の他、さらに管理者メールアドレス９０１、携帯電話端末メールアドレス１２０１が格納されている。
【００５１】
図１５は、第四実施形態による、生体情報の登録処理の一例を示すシーケンス図である。ステップ７０１−ステップ７０９の処理は、図７に示す処理と同様であるので、図７を参照し説明する。
【００５２】
先ず、ユーザは、ユーザＩＤが記憶されたＩＤカードをＩＤ読取装置１１にかざすなどして、ＩＤ読取装置１１にユーザＩＤを読み取らせる。生体情報登録端末１０は、ＩＤ読取装置１１により読取られ、出力されたユーザＩＤを取得する（ステップＳ７０１）。生体情報登録端末１０は、このユーザＩＤを含むＩＤ照合要求をネットワーク１６を介して管理サーバ１３に送信する（ステップ７０２）。
【００５３】
管理サーバ１３は、受信したユーザＩＤとユーザ関連情報ＤＢ４１４（図５）に記憶されているユーザＩＤ５０１とを照合する（ステップ７０３）。管理サーバ１３は、照合結果（照合成功）をネットワーク１６を介して生体情報登録端末１０に送信する（ステップ７０４）。なお、上記照合結果が照合不成功を示す場合は、その旨が生体情報登録端末１０にネットワーク１６を介して送信され、ステップ７０５以降の処理は行われない。
【００５４】
上記照合結果が照合成功を示す場合に、生体情報登録端末１０は、生体情報の入力を促す画面を表示装置２１３に表示する（ステップ７０５）。ユーザは、例えば指を生体情報読取装置１２にかざすなどして、生体情報読取装置１２に生体情報（指静脈情報）を読み取らせる。生体情報登録端末１０は、生体情報読取装置１２により読取られ、出力された生体情報を取得する（ステップ７０６）。次に、生体情報登録端末１０は、この生体情報を含む生体情報登録有無の確認要求をネットワーク１６を介して管理サーバ１３に送信する（ステップ７０７）。
【００５５】
管理サーバ１３は、生体情報登録有無の確認要求に含まれる生体情報とユーザ関連情報ＤＢ４１４に記憶されている複数の生体情報５０３とを順次照合し、該当生体情報の登録有無の確認を行う（ステップ７０８）。確認の結果、ユーザ関連情報ＤＢ４１４に生体情報が登録されていなければ、管理サーバ１３は、生体情報が未登録であることを示す情報（照合結果）をネットワーク１６を介して生体情報登録端末１０に送信する（ステップ７０９）。また、管理サーバ１３は、ユーザ関連情報ＤＢ４１４の携帯電話端末メールアドレス１２０１に基づき、生体情報の取得依頼をネットワーク１６を介して携帯電話端末１１００に送信する（ステップ１５０１）。
【００５６】
携帯電話端末１１００は、ユーザの生体情報を取得し（ステップ１５０２）、この生体情報を含む生体情報登録要求をネットワーク１６を介して管理サーバ１３に送信する（ステップ１５０３）。
【００５７】
管理サーバ１３は、生体情報登録要求に含まれる生体情報をユーザ関連情報ＤＢ４１４の生体情報５０３に仮登録する（ステップ１５０４）。また、管理サーバ１３は、ユーザ関連情報ＤＢ４１４の生体情報登録フラグ５０４に仮登録フラグを書き込み、生体情報登録・更新時刻５０５に仮登録した日時を書き込み、生体情報有効期限５０６に仮登録した生体情報の有効期限を書き込む（ステップ１５０５）。次に、管理サーバ１３は、生体情報を仮登録したことを示す情報をネットワーク１６を介して生体情報登録端末１０に送信する（ステップ１５０６）。また、管理サーバ１３は、ユーザ関連情報ＤＢ４１４の該当レコードの管理者メールアドレス９０１に基づき、承認依頼メールをネットワーク１６を介して管理者端末１５に送信する（ステップ１５０７）。
【００５８】
管理者により承認が行われると、管理者端末１５は、承認済みであることを示す情報をネットワーク１６を介して管理サーバ１３に送信する（ステップ１５０８）。
【００５９】
管理サーバは、ユーザ関連情報ＤＢ４１４の生体情報登録フラグ５０４の仮登録フラグを登録フラグに変更し、生体情報登録・更新日時５０５および生体情報有効期限５０６の情報を更新する（ステップ１５０９）。最後に、管理サーバ１３は、生体情報の登録が完了したことを示す情報をネットワーク１６を介して生体情報登録端末１０に通知する（ステップ１５１０）。この通知情報は、生体情報登録端末１０の表示装置２１３に表示される。
【００６０】
なお、生体情報の仮登録通知（ステップ１５０６）および登録完了通知（ステップ１５１０）は、携帯電話端末１１００に対して行うようにしてもよい。また、管理サーバ１３は、ステップ７０７において受信した生体情報をＲＡＭ２０３に一時格納しておき、ステップ１５０３で生体情報の登録要求を受信すると、一時格納した生体情報と該登録要求に含まれる生体情報とを照合し、照合一致した場合に、生体情報をユーザ関連情報ＤＢ４１４の生体情報５０３に仮登録するようにしてもよい。また、管理サーバ１３は、ステップ７０７において受信した生体情報をＲＡＭ２０３に一時格納しておき、ステップ１５０３で生体情報の登録要求を受信すると、一時格納した生体情報と該登録要求に含まれる生体情報とを照合し、照合一致した場合に、ステップ１５０４−ステップ１５０６の処理を行わずに、ステップ１５０７の承認依頼を管理者端末１５に送信し、ステップ１５０８の承認済みを示す情報を受信すると、生体情報をユーザ関連情報ＤＢ４１４の生体情報５０３に登録するようにしてもよい。また、管理サーバ１３は、ステップ７０７において受信した生体情報をＲＡＭ２０３に一時格納しておき、ステップ１５０３で生体情報の登録要求を受信すると、一時格納した生体情報と該登録要求に含まれる生体情報とを照合し、照合一致した場合に、ステップ１５０４−ステップ１５０６の処理を行わずに、ステップ１５０７の承認依頼を管理者端末１５に送信し、ステップ１５０８の承認済みを示す情報を受信すると、生体情報を含む生体情報の登録許可を生体情報登録端末１０に通知し、生体情報登録端末１０が生体情報をＩＤカードに登録するようにしてもよい。
【００６１】
以上説明したように、上記本発明の実施形態によれば、生体情報の登録作業者や被登録者の手間をかけず、容易に生体情報の登録を行える技術を提供することができる。これにより、生体情報を登録する被登録者の数が数千、数万人以上のオーダーかつ、被登録者が国土全体、世界規模に散在する場合において、全ての被登録者を登録作業場所に出向せることなく、または、登録作業者を被登録者がいる場所へ派遣することなしに生体情報を登録することが可能となる。
【００６２】
なお、本発明は上記実施形態に限定されるものではなく、その要旨を逸脱しない範囲で種々変更可能である。
【図面の簡単な説明】
【００６３】
【図１】第一実施形態による、生体情報登録システム１全体の構成を示す図である。
【図２】第一実施形態による、生体情報登録端末１０、管理サーバ１３および管理者端末１５のハードウェア構成の一例を示す図である。
【図３】第一実施形態による、生体情報登録端末１０のＨＤＤ２０５に格納されているプログラムの機能を示す図である。
【図４】第一実施形態による、管理サーバ１３のＨＤＤ２０５に格納されているプログラムの機能およびＤＢを示す図である。
【図５】第一実施形態による、ユーザ関連情報ＤＢ４１４のデータ構成の一例を示図である。
【図６】第一実施形態による、入退出制御装置１４の記憶装置に格納されているプログラムの機能を示す図である。
【図７】第一実施形態による、生体情報の登録処理の一例を示すシーケンス図である。
【図８】第一実施形態による、生体認証を行う処理の一例を示すシーケンス図である。
【図９】第二実施形態による、ユーザ関連情報ＤＢ４１４のデータ構成の一例を示す図である。
【図１０】第二実施形態による、生体情報の登録処理の一例を示すシーケンス図である。
【図１１】第三実施形態による、生体情報登録システム１全体の構成を示す図である。
【図１２】第三実施形態による、ユーザ関連情報ＤＢ４１４のデータ構成の一例を示す図である。
【図１３】第三実施形態による、生体情報の登録処理の一例を示すシーケンス図である。
【図１４】第四実施形態による、ユーザ関連情報ＤＢ４１４のデータ構成の一例を示す図である。
【図１５】第四実施形態による、生体情報の登録処理の一例を示すシーケンス図である。
【符号の説明】
【００６４】
１０・・・生体情報登録端末、１１…ＩＤ読取装置、１２…生体情報読取装置、１３…管理サーバ１３、１４…入退出制御装置、１５…管理者端末、１６…ネットワーク、１１００…携帯電話端末、２００…ＣＰＵ、２０１…入力Ｉ/Ｆ、２０２…出力Ｉ/Ｆ、２０３…ＲＡＭ、２０４…通信Ｉ/Ｆ、２０５…ＨＤＤ、２１０…キーボード、２１１…マウス、２１２…タッチパッド、２１３…表示装置、２２０…計算機、２３０…プログラム、２３１…データ。
【図１】
2010160709.tif 000003
【図２】
2010160709.tif 000004
【図３】
2010160709.tif 000005
【図４】
2010160709.tif 000006
【図５】
2010160709.tif 000007
【図６】
2010160709.tif 000008
【図７】
2010160709.tif 000009
【図８】
2010160709.tif 000010
【図９】
2010160709.tif 000011
【図１０】
2010160709.tif 000012
【図１１】
2010160709.tif 000013
【図１２】
2010160709.tif 000014
【図１３】
2010160709.tif 000015
【図１４】
2010160709.tif 000016
【図１５】
2010160709.tif 000017